(57)【要約】  アクセス端末は、複数のサブスクリプションが使用される状況におけるチューンアウェイ動作を容易にするように適合される。一例によれば、第１のサブスクリプションの取得手順を実行しているアクセス端末は、第２のサブスクリプションのページングメッセージを取得するための取得手順を一時停止することができる。アクセス端末は、第１のサブスクリプションから第２のサブスクリプションにチューンアウェイして、モバイル着信ページを監視することができる。第２のサブスクリプションに関連付けられるモバイル着信ページページが受信および処理された後、アクセス端末は、第１のサブスクリプションの取得手順を再開することができる。他の態様、実施形態、および特徴も含まれる。
2017510102.tif 000002
【特許請求の範囲】
【請求項１】
通信インターフェースと、
第１のサブスクリプションに関連付けられる第１のサブスクリプションモジュールと第２のサブスクリプションに関連付けられる第２のサブスクリプションモジュールとを含む、複数のサブスクリプションモジュールと、
前記通信インターフェースおよび前記複数のサブスクリプションモジュールに結合された処理回路とを備え、前記処理回路が、
前記通信インターフェースを介して、前記第１のサブスクリプションの取得プロセスを実行し、
前記第１のサブスクリプションの前記取得プロセスを一時停止し、前記第２のサブスクリプション上のモバイル着信ページのために前記通信インターフェースを前記第２のサブスクリプションにチューニングし、
前記通信インターフェースを介してモバイル着信ページの前記第２のサブスクリプションを監視する
ように適合される、アクセス端末。
【請求項２】
前記処理回路が、前記第２のサブスクリプションのモバイル着信ページを受信して処理した後に、前記第１のサブスクリプションの前記取得プロセスを再開するようにさらに適合される、請求項１に記載のアクセス端末。
【請求項３】
前記第１のサブスクリプションの取得プロセスを実行するように適合された前記処理回路が、
前記第１のサブスクリプション上で取得（ＡＣＱ）状態で動作する、または、
前記第１のサブスクリプション上で同期（ＳＹＮＣ）状態で動作する
ように適合された前記処理回路を備える、請求項１に記載のアクセス端末。
【請求項４】
前記処理回路が、前記第１のサブスクリプション上で前記同期（ＳＹＮＣ）状態で動作するように適合され、ここにおいて、前記第１のサブスクリプション上の前記取得プロセスを一時停止するように適合された前記処理回路が、同期タイムアウト（ＳＹＮＣ  ＴＩＭＯＵＴ）タイマを一時停止するように適合された前記処理回路を備える、請求項３に記載のアクセス端末。
【請求項５】
前記処理回路が、前記同期タイムアウトタイマの時に、ＳＹＮＣ  ＳＵＳＰＥＮＤタイマを開始するようにさらに適合される、請求項４に記載のアクセス端末。
【請求項６】
前記第１のサブスクリプションに関連付けられる前記第１のサブスクリプションモジュールが、データ通信のために使用され、
前記第２のサブスクリプションに関連付けられる前記第２のサブスクリプションモジュールが、音声通信のために使用される、請求項１に記載のアクセス端末。
【請求項７】
前記第１のサブスクリプションに関連付けられる前記第１のサブスクリプションモジュールが、１ｘＥＶ−ＤＯ無線アクセスネットワーク上のデータ通信のために適合され、
前記第２のサブスクリプションに関連付けられる前記第２のサブスクリプションモジュールが、ｃｄｍａ２０００  １ｘ無線アクセスネットワーク、ＧＳＭ（登録商標）無線アクセスネットワーク、Ｗ−ＣＤＭＡ（登録商標）無線アクセスネットワーク、およびＬＴＥ無線アクセスネットワークのうちの１つのネットワーク上の音声通信のために適合される、請求項１に記載のアクセス端末。
【請求項８】
第１のサブスクリプションの取得プロセスを実行することと、
前記第１のサブスクリプションの前記取得プロセスを一時停止することと、
前記第２のサブスクリプションに関連付けられるモバイル着信ページの受信を可能にするために、第２のサブスクリプションにチューニングすることと、
前記第２のサブスクリプションに関連付けられるモバイル着信ページを監視することと
を備える、アクセス端末上で動作可能な方法。
【請求項９】
前記第２のサブスクリプションに関連付けられるモバイル着信ページを受信して処理した後に、前記第１のサブスクリプションの前記取得プロセスを再開することをさらに備える、請求項８に記載の方法。
【請求項１０】
前記第１のサブスクリプションの取得プロセスを実行することが、
前記第１のサブスクリプション上で取得（ＡＣＱ）状態で動作すること、または、
前記第１のサブスクリプション上で同期（ＳＹＮＣ）状態で動作すること
を備える、請求項８に記載の方法。
【請求項１１】
前記第１のサブスクリプションの取得処理を実行することが、前記第１のサブスクリプション上で同期（ＳＹＮＣ）状態で動作することを備え、ここにおいて、前記第１のサブスクリプションの前記取得プロセスを一時停止することが、同期タイムアウト（ＳＹＮＣ  ＴＩＭＯＵＴ）タイマを一時停止することを備える、請求項８に記載の方法。
【請求項１２】
前記同期タイムアウト（ＳＹＮＣ  ＴＩＭＯＵＴ）タイマを一時停止することが、ＳＹＮＣ  ＳＵＳＰＥＮＤタイマを開始することを備える、請求項１１に記載の方法。
【請求項１３】
第１のサブスクリプションの取得プロセスを実行することが、１ｘＥＶ−ＤＯ無線アクセスネットワークで前記取得プロセスを実行することを備え、
前記第２のサブスクリプションに関連付けられる前記第２のサブスクリプションモジュールが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために使用される、請求項８に記載のアクセス端末。
【請求項１４】
前記第２のサブスクリプションにチューニングすることが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つにチューニングすることを備える、請求項８に記載のアクセス端末。
【請求項１５】
第１のサブスクリプションの取得プロセスを実行するための手段と、
前記第１のサブスクリプションの前記取得プロセスを一時停止するための手段と、
前記第２のサブスクリプションに関連付けられるモバイル着信ページの受信を可能にするために、第２のサブスクリプションにチューニングするための手段と、
前記第２のサブスクリプションに関連付けられるモバイル着信ページを監視するための手段と
を備える、アクセス端末。
【請求項１６】
前記第２のサブスクリプションに関連付けられるモバイル着信ページを受信して処理した後に、前記第１のサブスクリプションの前記取得プロセスを再開するための手段をさらに備える、請求項１５に記載のアクセス端末。
【請求項１７】
前記第１のサブスクリプションの取得プロセスを実行するための前記手段が、前記第１のサブスクリプション上の取得（ＡＣＱ）状態と、前記第１のサブスクリプション上の同期（ＳＹＮＣ）状態とのうちの少なくとも１つにおいて動作するための手段を備える、請求項１５に記載のアクセス端末。
【請求項１８】
前記第１のサブスクリプションの取得プロセスを実行するための前記手段が、前記第１のサブスクリプション上の同期（ＳＹＮＣ）状態で動作するための手段を備え、
前記第１のサブスクリプションの前記取得プロセスを一時停止するための前記手段が、同期タイムアウト（ＳＹＮＣ  ＴＩＭＯＵＴ）タイマを一時停止するための手段を備える、請求項１５に記載のアクセス端末。
【請求項１９】
前記同期タイムアウト（ＳＹＮＣ  ＴＩＭＯＵＴ）タイマを一時停止するための前記手段が、ＳＹＮＣ  ＳＵＳＰＥＮＤタイマを開始することを備える、請求項１８に記載のアクセス端末。
【請求項２０】
前記第１のサブスクリプションがデータ通信のために使用され、
前記第２のサブスクリプションが音声通信のために使用される、請求項１５に記載のアクセス端末。
【請求項２１】
前記第１のサブスクリプションが、１ｘＥＶ−ＤＯ無線アクセスネットワーク上のデータ通信のために適合され、
前記第２のサブスクリプションが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために適合される、請求項１５に記載のアクセス端末。
【請求項２２】
処理回路に、
第１のサブスクリプションの取得プロセスを実行することと、
前記第１のサブスクリプションの前記取得プロセスを一時停止することと、
前記第２のサブスクリプションに関連付けられるモバイル着信ページの受信を可能にするために通信インターフェースリソースを第２のサブスクリプションに解放することと、
前記第２のサブスクリプションに関連付けられるモバイル着信ページを監視することと
を行わせるプログラミングを備える、プロセッサ可読記憶媒体。
【請求項２３】
処理回路に、
前記第２のサブスクリプションに関連付けられるモバイル着信ページを受信して処理した後に、前記第１のサブスクリプションの前記取得プロセスを再開することを行わせるためのプログラミングをさらに備える、請求項２２に記載のプロセッサ可読記憶媒体。
【請求項２４】
前記第１のサブスクリプションの前記取得プロセスが、前記第１のサブスクリプション上の取得（ＡＣＱ）状態と、同期（ＳＹＮＣ）状態とのうちの少なくとも１つにおける動作を備える、請求項２２に記載のプロセッサ可読記憶媒体。
【請求項２５】
前記第１のサブスクリプションの前記取得プロセスが、前記第１のサブスクリプション上で同期（ＳＹＮＣ）状態で動作することを備え、ここにおいて、処理回路に前記第１のサブスクリプションの前記取得プロセスを一時停止することを行わせるための前記プログラミングが、処理回路に同期タイムアウト（ＳＹＮＣ  ＴＩＭＯＵＴ）タイマを一時停止することを行わせるためのプログラミングを備える、請求項２２に記載のプロセッサ可読記憶媒体。
【請求項２６】
処理回路に、前記同期タイムアウト（ＳＹＮＣ  ＴＩＭＯＵＴ）タイマを一時停止することを行わせるための前記プログラミングが、処理回路にＳＹＮＣ  ＳＵＳＰＥＮＤタイマを開始することを行わせるためのプログラミングを備える、請求項２５に記載のプロセッサ可読記憶媒体。
【請求項２７】
前記第１のサブスクリプションがデータ通信のために使用され、
前記第２のサブスクリプションが音声通信のために使用される、請求項２２に記載のプロセッサ可読記憶媒体。
【請求項２８】
前記第１のサブスクリプションが、１ｘＥＶ−ＤＯ無線アクセスネットワーク上のデータ通信のために適合され、
前記第２のサブスクリプションが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために適合される、請求項２２に記載のプロセッサ可読記憶媒体。
【発明の詳細な説明】
【技術分野】
【０００１】
優先権の主張
[0001]本特許出願は、本願の譲受人に譲渡され、適用可能なすべての目的のために参照により本明細書に明示的に組み込まれる、２０１３年１２月２０日に出願された「Ａｐｐａｒａｔｕｓ  ａｎｄ  Ｍｅｔｈｏｄ  Ｆｏｒ  Ｅｎａｂｌｉｎｇ  Ｔｕｎｅ−Ａｗａｙ  Ｏｐｅｒａｔｉｏｎｓ  Ｗｉｔｈｉｎ  １ｘＥＶ−ＤＯ  Ａｃｑｕｉｓｉｔｉｏｎ  ａｎｄ  Ｓｙｎｃｈｒｏｎｉｚａｔｉｏｎ  Ｓｔａｔｅｓ」と題する仮出願第６１／９１９，４３８号、および２０１４年３月１８日に出願された「Ａｐｐａｒａｔｕｓ  ａｎｄ  Ｍｅｔｈｏｄｓ  ｆｏｒ  Ｆａｃｉｌｉｔａｔｉｎｇ  Ｔｕｎｅ−Ａｗａｙ  Ｏｐｅｒａｔｉｏｎｓ  ｉｎ  Ｗｉｒｅｌｅｓｓ  Ｃｏｍｍｕｎｉｃａｔｉｏｎｓ  Ｓｙｓｔｅｍｓ」と題する非仮出願第１４／２１８，３７５号の優先権を主張する。
【０００２】
[0002]以下に述べる技術は、一般にワイヤレス通信に関し、より詳細には、ワイヤレス通信ネットワークにおいて動作可能なアクセス端末におけるチューンアウェイ動作に関する。本技術の態様の実装は、数ある利点の中でも特に、ワイヤレスデバイスが音声通話を逃すことを回避することを可能にし得る。
【背景技術】
【０００３】
[0003]電話、ビデオ、データ、メッセージング、ブロードキャストなどの様々な通信サービスを提供するために、ワイヤレス通信システムは広く展開されている。通常は複数のアクセスネットワークであるワイヤレス通信ネットワークは、利用可能なネットワークリソースを共有することによって複数のユーザのための通信をサポートする。そのようなネットワークの例には、特に、第３世代パートナーシッププロジェクト（３ＧＰＰ（登録商標））によって定義される、グローバルシステムフォーモバイルコミュニケーションズ（ＧＳＭ（登録商標））、ユニバーサルモバイルテレコミュニケーションシステム（ＵＭＴＳ）およびロングタームエボリューション（ＬＴＥ（登録商標））に基づくネットワーク、ならびに第３世代パートナーシッププロジェクト２（３ＧＰＰ２）によって定義されるｃｄｍａ２０００  １ｘおよび１ｘＥＶ−ＤＯがある。
【０００４】
[0004]ワイヤレス通信システムは、ワイヤレス通信を容易にするように適合された様々なタイプのデバイスによってアクセスされ得、複数のデバイスが利用可能なシステムリソース（たとえば、時間、周波数、および電力）を共有する。そのようなワイヤレス通信システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。複数のタイプのデバイスが、そのようなワイヤレス通信システムを利用するように適合されている。そのようなデバイスは、一般にアクセス端末と呼ばれ得る。
【０００５】
[0005]モバイルブロードバンドアクセスに対する需要が増加し続けるにつれて、モバイルブロードバンドアクセスに対する増大する需要を満たすためだけでなく、モバイル通信のユーザエクスペリエンスを進化および向上させるためにも、研究および開発が技術を進化させ続けている。
【発明の概要】
【０００６】
[0006]以下で、議論される技術の基本的な理解を与えるために、本開示のいくつかの態様を要約する。この概要は、本開示のすべての考えられる機能の広範な概観ではなく、本開示のすべての態様の主要または重要な要素を特定することも、本開示の任意のまたはすべての態様の範囲を描写することも意図されない。この概要の唯一の目的は、後に提示されるより詳細な説明の前置きとして、本開示の１つまたは複数の態様のいくつかの概念を要約形式で提示することである。
【０００７】
[0007]様々な態様において、本開示は、優先度の高い音声技術のために、アクセス端末（たとえば、マルチモードアクセス端末）のモバイル着信（ＭＴ：mobile-terminated）ページ性能を向上させることが可能な、方法、装置、システム、およびコンピュータプログラムを提供する。本開示の少なくとも１つの態様によれば、アクセス端末は、通信インターフェースと、第１のサブスクリプションに関連付けられる第１のサブスクリプションモジュールと第２のサブスクリプションに関連付けられる第２のサブスクリプションモジュールとを含む複数のサブスクリプションモジュールとを含み得る。通信インターフェースと複数のサブスクリプションモジュールとは、処理回路で結合され得る。処理回路は、通信インターフェースを介して、第１のサブスクリプションの取得プロセスを実行するように適合され得る。処理回路は、第１のサブスクリプションの取得プロセスを一時停止し、第２のサブスクリプション上のモバイル着信ページのために通信インターフェースを第２のサブスクリプションにチューニングするようにさらに適合され得る。処理回路はまた、通信インターフェースを介してモバイル着信ページの第２のサブスクリプションを監視するように適合され得る。
【０００８】
[0008]さらなる態様は、アクセス端末上で動作可能な方法、および／またはそのような方法を実行するための手段を含む端末を提供する。そのような方法の１つまたは複数の例は、第１のサブスクリプションの取得プロセスを実行することを含み得る。第１のサブスクリプションの取得プロセスは一時停止され得、第２のサブスクリプションに関連付けられるモバイル着信ページの受信を可能にするために、アクセス端末が第２のサブスクリプションにチューニングされ得る。アクセス端末は、第２のサブスクリプションに関連付けられるモバイル着信ページをさらに監視し得る。
【０００９】
[0009]さらなる態様は、処理回路によって実行可能なプログラミングを備えるプロセッサ可読記憶媒体を含む。１つまたは複数の例によれば、そのようなプログラミングは、処理回路に第１のサブスクリプションの取得プロセスを実行することを行わせるように適合され得る。プログラミングは、処理回路に、第１のサブスクリプションの取得プロセスを一時停止することと、第２のサブスクリプションに関連付けられるモバイル着信ページの受信を可能にするために通信インターフェースリソースを第２のサブスクリプションに解放することと、第２のサブスクリプションに関連付けられるモバイル着信ページを監視することとを行わせるようにさらに適合され得る。
【００１０】
[0010]以下の説明を添付の図面と併せて検討すれば、当業者には、本開示に関連する他の態様、特徴、および実施形態が明らかになろう。
【図面の簡単な説明】
【００１１】
【図１】[0011]本開示の１つまたは複数の態様が適用例を見つけることができるネットワーク環境の一例を示すブロック図。
【図２】[0012]いくつかの実施形態による、アクセス端末によって実装され得るプロトコルスタックアーキテクチャの一例を示すブロック図。
【図３】[0013]いくつかの実施形態による、２つの異なるネットワークを利用するように構成されたアクセス端末を示す簡略化されたブロック図。
【図４】[0014]いくつかの実施形態による、モバイルデバイスと遠隔通信ネットワークとの間のワイヤレス通信の方法を示すフローチャート。
【図５】[0015]いくつかの実施形態による、アクセス端末の選択構成要素を示すブロック図。
【図６】[0016]いくつかの実施形態による、アクセス端末上で動作可能な方法を示す流れ図。
【図７】[0017]第１のネットワークがＡＣＱ状態で動作する間に、第２のネットワークのページング動作をハンドリングするプロセスを示す流れ図。
【図８】[0018]いくつかの実施形態による、第１のネットワークがＳＹＮＣ状態である間に、第２のネットワークのページング動作をハンドリングするプロセスを示す流れ図。
【発明を実施するための形態】
【００１２】
[0019]添付の図面に関連して以下に記載する説明は、様々な構成の説明として意図されるものであり、本明細書に記載の概念および機能が実施され得る唯一の構成を表すものとして意図されるものではない。以下の説明は、様々な概念の完全な理解を与えるための具体的な詳細を含む。しかしながら、これらの概念は、これらの特定の詳細なしに実施され得ることは当業者には明らかであろう。いくつかの例において、よく知られている回路、構造、技法、および構成要素は、説明される概念および機能を不明瞭にすることを回避するためにブロック図の形式で示されている。
【００１３】
[0020]本開示全体にわたって提示される様々な概念は、幅広いワイヤレス通信システム、ネットワークアーキテクチャ、および通信規格にわたって実装され得る。議論の特定の態様は、１つまたは複数の特定のワイヤレス通信プロトコルおよびシステムを参照して以下に説明されるが、当業者は、本開示の１つまたは複数の態様は、１つまたは複数の他のワイヤレス通信プロトコルおよびシステムにおいて使用されてもよく、それに含まれてもよいことを認識するであろう。
【００１４】
[0021]図１を参照すると、本開示の１つまたは複数の態様が適用例を見つけることができるネットワーク環境の一例を示すブロック図が示されている。ワイヤレス通信システム１００は、一般に、１つまたは複数の基地局１０２と、１つまたは複数のアクセス端末１０４と、１つまたは複数の基地局コントローラ（ＢＳＣ）１０６と、公衆交換電話網（ＰＳＴＮ）への（たとえば、モバイル交換センタ／ビジターロケーションレジスタ（ＭＳＣ／ＶＬＲ）を介して）および／またはＩＰネットワークへの（たとえば、パケットデータ交換ノード（ＰＤＳＮ）を介して）アクセスを提供するコアネットワーク１０８とを含む。システム１００は、複数のキャリア（異なる周波数の波形信号）上の動作をサポートすることができる。マルチキャリア送信機は、複数のキャリア上で同時に変調信号を送信することができる。各変調信号は、ＣＤＭＡ信号、ＴＤＭＡ信号、ＯＦＤＭＡ信号、シングルキャリア周波数分割多元接続（ＳＣ−ＦＤＭＡ）信号等であり得る。各変調信号は、異なるキャリア上で送信され得、また、制御情報（たとえば、パイロット信号）、オーバーヘッド情報、データ等を搬送し得る。
【００１５】
[0022]基地局１０２は、基地局アンテナを介してアクセス端末１０４とワイヤレスに通信することができる。基地局１０２は、それぞれ、一般的に、ワイヤレス通信システム１００へのワイヤレス接続性（１つまたは複数のアクセス端末１０４の）を容易にするように適合されたデバイスとして実装され得る。基地局１０２はまた、当業者によって、アクセスポイント、基地トランシーバ局（ＢＴＳ）、無線基地局、無線トランシーバ、トランシーバ機能、基本サービスセット（ＢＳＳ）、拡張サービスセット（ＥＳＳ）、ノードＢ、フェムトセル、ピコセル、および／または他の何らかの適切な用語と呼ばれ得る。
【００１６】
[0023]基地局１０２は、基地局コントローラ１０６の制御下で、アクセス端末１０４と通信するように構成される。基地局１０２の各々は、それぞれの地理的エリアに通信カバレージを与えることができる。ここでは、基地局１０２ごとのカバレージエリア１１０は、セル１１０−ａ、１１０−ｂ、または１１０−ｃとして識別される。基地局１０２のカバレージエリア１１０は、セクタ（図示されないが、カバレージエリアの一部のみを構成する）に分割され得る。様々な例では、システム１００は、異なるタイプの基地局１０２を含み得る。
【００１７】
[0024]１つまたは複数のアクセス端末１０４は、カバレージエリア１１０全体にわたって分散され得る。各アクセス端末１０４は、１つまたは複数の基地局１０２と通信することができる。アクセス端末１０４は、一般に、ワイヤレス信号を介して１つまたは複数の他のデバイスと通信する１つまたは複数のデバイスを含み得る。そのようなアクセス端末１０４は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の好適な用語で呼ばれることもある。アクセス端末１０４は、モバイル端末、および／または少なくとも実質的に固定された端末を含み得る。アクセス端末１０４の例には、モバイル電話、ページャ、ワイヤレスモデム、携帯情報端末、パーソナルインフォメーションマネージャ（ＰＩＭ）、パーソナルメディアプレーヤ、パームトップコンピュータ、ラップトップコンピュータ、タブレットコンピュータ、テレビ、器具、電子リーダ、デジタルビデオレコーダ（ＤＶＲ）、マシンツーマシン（Ｍ２Ｍ）デバイス、計器、娯楽デバイス、玩具、自動車／乗物モジュール、センサ、検知デバイス、ウェアラブルデバイス、ルータ、および／あるいは、ワイヤレスまたはセルラーネットワークを介して少なくとも部分的に通信する他の通信／コンピューティングデバイスがある。
【００１８】
[0025]アクセス端末１０４は、アクセス端末１０４と、ワイヤレス通信システム１００の１つまたは複数のネットワークノード（たとえば、基地局１０２）との間でデータを通信するためにプロトコルスタックアーキテクチャを使用するように適合され得る。プロトコルスタックは、一般に、転送されたデータがそれらの表現の順に各レイヤによって順次処理される、レイヤがそれらの数字の指示の順に表される通信プロトコルのためのレイヤ状アーキテクチャの概念モデルを含む。グラフでは、「スタック」は典型的に、最低の数値指定を有するレイヤを底部として、垂直方向に示される。図２は、アクセス端末１０４によって実装され得るプロトコルスタックアーキテクチャの一例を示すブロック図である。図１および図２を参照すると、アクセス端末１０４のためのプロトコルスタックアーキテクチャが、一般に３つのレイヤ、レイヤ１（Ｌ１）、レイヤ２（Ｌ２）およびレイヤ３（Ｌ３）を含むように示されている。
【００１９】
[0026]レイヤ１  ２０２は最下位レイヤであり、様々な物理レイヤ信号処理機能を実装する。レイヤ１  ２０２は、本明細書では物理レイヤ２０２とも呼ばれる。この物理レイヤ２０２は、アクセス端末１０４と基地局１０２との間の無線信号の送受信を提供する。
【００２０】
[0027]レイヤ２（または「Ｌ２レイヤ」）２０４と呼ばれるデータリンクレイヤは、物理レイヤ２０２の上にあり、レイヤ３によって生成されたシグナリングメッセージの配信を担当する。Ｌ２レイヤ２０４は、物理レイヤ２０２によって与えられるサービスを利用する。Ｌ２レイヤ２０４は、媒体アクセス制御（ＭＡＣ）サブレイヤ２０６、およびリンクアクセス制御（ＬＡＣ）サブレイヤ２０８の２つのサブレイヤを含み得る。
【００２１】
[0028]ＭＡＣサブレイヤ２０６は、Ｌ２レイヤ２０４よりも下位のサブレイヤである。ＭＡＣサブレイヤ２０６は、媒体アクセスプロトコルを実装して、物理レイヤ２０２によって与えられるサービスを使用して、より高いレイヤのプロトコルデータユニットのトランスポートを担当する。ＭＡＣサブレイヤ２０６は、上位レイヤから共有エアインターフェースへのデータのアクセスを管理することができる。
【００２２】
[0029]ＬＡＣサブレイヤ２０８は、Ｌ２レイヤ２０４よりも上位のサブレイヤである。ＬＡＣサブレイヤ２０８は、レイヤ３で生成されたシグナリングメッセージの正確なトランスポートおよび配信を提供するデータリンクプロトコルを実装する。ＬＡＣサブレイヤは、下位レイヤ（たとえば、レイヤ１およびＭＡＣサブレイヤ）によって与えられるサービスを利用する。
【００２３】
[0030]上位レイヤまたはＬ３レイヤとも呼ばれ得るレイヤ３  ２１０は、基地局１０２とアクセス端末１０４との間の通信プロトコルの意味論およびタイミングに応じて、シグナリングメッセージを発信および着信することができる。Ｌ３レイヤ２１０は、Ｌ２レイヤによって与えられるサービスを利用する。情報（データと音声の両方）メッセージも、Ｌ３レイヤ２１０を通過する。
【００２４】
[0031]いくつかの例では、アクセス端末は、２つ以上の異なる無線アクセス技術上で通信することが可能であり得る。アクセス端末上のマルチサブスクリプション実装形態の一例は、音声通信のためにある無線アクセス技術（ＲＡＴ）、およびデータのための別の無線アクセス技術（ＲＡＴ）を使用することができる。そのようなアクセス端末は、しばしば、ハイブリッドデバイスまたはハイブリッドアクセス端末と呼ばれる。ある一般的なハイブリッドアクセス端末は、１ｘＥＶ−ＤＯネットワーク上と、ｃｄｍａ２０００  １ｘネットワーク上との両方で通信することが可能である、１ｘ／ＤＯハイブリッドアクセス端末と呼ばれ得る単一のＳＩＭデバイスである。ハイブリッドアクセス端末の別の例は、２つ以上のそれぞれのユーザのサブスクリプションに対応する任意の２つ以上の異なるネットワーク上で通信することが可能であり得る、デュアルＳＩＭデバイスまたはマルチＳＩＭデバイスである。
【００２５】
[0032]たとえば、図３は、一実施形態による、アクセス端末３００を示す簡略化したブロック図である。この例に示されるように、アクセス端末３００は、単一のＳＩＭ動作、あるいはデュアルＳＩＭ動作またはマルチＳＩＭ動作のいずれかのために構成されたマルチモードアクセス端末であり得る。第１のサブスクリプションに対応する第１のＳＩＭ（たとえば、１ｘＥＶ−ＤＯネットワーク３０４上）は、データのためにアクセス端末３００によって使用され得、第２のサブスクリプションに対応する任意の第２のＳＩＭ（たとえば、１ｘ、ＧＳＭ、Ｗ−ＣＤＭＡ（登録商標）、および／またはＬＴＥネットワーク３０６上）は、音声通信のために使用され得る。第１のＳＩＭおよび第２の（任意の）ＳＩＭは、両方のサブスクリプションが、通信インターフェースに対応するＲＦリソースを共有するように、単一の通信インターフェースに結合される。その結果、通信インターフェースの動作時間は、典型的に、異なるサブスクリプション／動作の間で分割される。同様に、単一のＳＩＭの例では、異なる動作モード（たとえば、ｃｄｍａ２０００  １ｘモードおよび１ｘＥＶ−ＤＯモード）は、両方とも、単一のサブスクリプションを使用して、およびＲＦリソースを共有して、動作可能であり得る。
【００２６】
[0033]いくつかの例では、第１の（または、データ）サブスクリプションは、それぞれのネットワーク上でサービスを取得しようと試みることができる。共有されたＲＦリソースが第１のサブスクリプションによって使用されているため、取得手順の間に、第２の（または、音声）サブスクリプションに到着する任意のページは失敗することがある。限定ではなく例として、アクセス端末３００は、たとえば、これらに限定されないが、信号反射、干渉、雑音等を含む、広い範囲の急激なチャネル状態の変化を経験し得る。特定のチャネル条件では、アクセス端末３００は、非常に頻繁にサービスを失う場合がある。たとえば、第１のサブスクリプション上の接続（たとえば、１ｘＥＶ−ＤＯネットワーク３０４との）を維持しようとすると、アクセス端末３００は、チャネル状態が悪いため、何度もアウトオブサービス（ＯＯＳ）状態に移行することがある。時間が経つにつれて、アクセス端末３００は繰り返し、および頻繁に、第１のサブスクリプションに関連付けられるネットワーク（たとえば、１ｘＥＶ−ＤＯネットワーク３０４）との接続を失う可能性がある。ひとたび接続が失われると、アクセス端末３００は、システムを再び取得しようと試みることができ、したがって、以下に説明するように、ＩＮＡＣＴＩＶＥ、ＡＣＱ、ＳＹＮＣ、およびＩＤＬＥ状態を通じて移行し得る。この間、アクセス端末３００は、従来のように第２のサブスクリプション（たとえば、１ｘ／Ｇ／Ｗ／Ｌネットワーク３０６）のための使用からＲＦリソースをタイアップすることになり、これは第２のサブスクリプションの失われたページをもたらし得る。
【００２７】
[0034]図４は、チャネル状態がアクセス端末に取得手順を実行することを行わせる上述の例の場合における、アクセス端末３００などのアクセス端末によって実装され得る処理４００の一例を示す流れ図である。最初に、ブロック４０２で、アクセス端末３００は、第１のサブスクリプション上でＩＤＬＥ状態で動作することができる。いくつかの例では、ＩＤＬＥ状態は、スロッテッドＩＤＬＥモード（たとえば、不連続受信またはＤＲＸ）でもよく、非スロッテッドモードでもよい。そのようなスロッテッドＩＤＬＥモードでは、アクセス端末３００は、第１のサブスクリプションに関連付けられるネットワーク３０４から入ってくるモバイル着信（ＭＴ）ページメッセージのリスニング、受信、および／または応答などの動作を実行し得る。
【００２８】
[0035]ＩＤＬＥ状態での動作中に、上述のように、ユーザの移動度などの様々な状況のいずれかのために、非常にフェードした状態（ｆａｄｅｄ  ｃｏｎｄｉｔｉｏｎｓ）および／または低ジオメトリチャネル状態は、チャネル状態が悪いことを示す、アクセス端末３００によって行われたチャネルの測定値をもたらし得る。したがって、ブロック４０４で、チャネル状態が悪いため、アクセス端末３００は、ＩＤＬＥ状態からＩＮＡＣＴＩＶＥ状態への遷移を含む、アウトオブサービス（ＯＯＳ）状態に移行し得る。
【００２９】
[0036]ＯＯＳ状態では、アクセス端末３００が、第１のサブスクリプションに関連付けられるネットワーク（たとえば、１ｘＥＶ−ＤＯネットワーク３０４）との接続を再取得することが望ましいと決定することが生じ得る。この場合には、ブロック４０６で、第１のサブスクリプションは、通信インターフェースなどの、アクセス端末のＲＦリソースの使用を要求し得る。ＲＦリソースが第１のサブスクリプションに与えられると、次いでブロック４０８で、ＲＦリソースを受信すると、アクセス端末は、第１のサブスクリプションに関連付けられるネットワーク（たとえば、１ｘＥＶ−ＤＯネットワーク３０４）との接続を再取得するために、第１のサブスクリプション上でＩＮＡＣＴＩＶＥ状態からＡＣＱ状態に移行し得る。
【００３０】
[0037]ブロック４１０で、ＡＣＱ状態で、アクセス端末３００は、第１のサブスクリプションに従来のＡＣＱ動作を実行することができる。ＡＣＱ動作は、実装形態に固有であってもよく、他の例では、第１のサブスクリプションに関連付けられる特定の標準（たとえば、１ｘＥＶ−ＤＯ動作のための３ＧＰＰ２標準）で定義されてもよい。そのような標準化された動作は、一般に当業者に知られており、したがって本明細書では詳細に説明されない。
【００３１】
[0038]ブロック４１２で、成功したＡＣＱプロセスの後、アクセス端末３００は第１のサブスクリプション上でＳＹＮＣ状態に移行し得、第１のサブスクリプションに関連付けられるネットワーク（たとえば、１ｘＥＶ−ＤＯネットワーク３０４）から送信された同期メッセージを復号する。アクセス端末３００は、典型的には、ＳＹＮＣ動作を実行するためにあらかじめ定められた時間期間を有する。従来、これはＳＹＮＣ  ＴＩＭＥＯＵＴタイマによって定義され、それは通常期間中に５秒である。成功したＳＹＮＣ動作の後、アクセス端末３００は、第１のサブスクリプション上でＩＤＬＥ状態に移行し得、それに応じて、アクセス端末３００の構成に基づいて、スロッテッド／非スロッテッドスリープモードに入ることができる。
【００３２】
[0039]取得手順の間に（たとえば、ブロック４０８〜４１４に対応する、ＡＣＱおよび／またはＳＹＮＣ状態の間に）、ひとたび第１のサブスクリプションにＲＦリソースが与えられると、第１のサブスクリプションは、取得手順（たとえば、ＡＣＱおよび／またはＳＹＮＣ動作）が完了するまでＲＦリソースを解放しない。したがって、ｃｄｍａ２０００  １ｘ、ＧＳＭ、Ｗ−ＣＤＭＡ、ＬＴＥ、あるいは他の何らかのシステムまたはプロトコル（本明細書では、便宜上１ｘ／Ｇ／Ｗ／Ｌと略す）に対応するページなどの、アクセス端末３００で第２のサブスクリプションに対応するモバイル着信ページがこの時期にアクセス端末３００に到達すると、第１のサブスクリプション動作（たとえば、ＡＣＱまたはＳＹＮＣ動作）よりも優先度が高い操作に対応し得る１ｘ／Ｇ／Ｗ／Ｌによるページ復調動作は、ＲＦリソースが使用不能であるため失敗する。この状況では、モバイル着信ページにページ消去が宣言され、１ｘ／Ｇ／Ｗ／Ｌモバイル着信呼が失敗する。
【００３３】
[0040]さらに、特定の状況では、上述のプロセスは、悪いチャネル状態がアクセス端末３００にＯＯＳ状態に繰り返し移行することと、次いで新しい取得手順を実行することとを行わせる、非常にフェードした状態および／または低ジオメトリチャネル状態などを繰り返し循環する場合があり、取得手順を実行する際に比較的多くの時間が費やされる（たとえば、ブロック５０８〜５１４に対応するＡＣＱおよびＳＹＮＣ状態で）。そのようなシナリオは、第２のサブスクリプションの多くのページの復調動作の失敗という問題を生じさせる場合があり、モバイル着信呼の性能に悪影響を与え、ユーザエクスペリエンスを低下させる。当然のことながら、本開示の態様は、非常にフェードした状態および／または低ジオメトリチャネル状態の場合に限定されるものではなく、むしろ任意の適切なシナリオで実装され得、場合によってはチャネル状態とは無関係であり得る。たとえば、以下でさらに詳細に説明するように、本開示の１つまたは複数の態様の実装形態は、ＲＦリソースを要求している他のＲＡＴの動作の優先度に基づき得る。
【００３４】
[0041]本開示の少なくとも１つの態様によれば、アクセス端末は、他のサブスクリプションによってそれらのＲＦリソースのより優先度の高い予約が存在する場合、第１のサブスクリプションによって占有されるＲＦリソースを別のサブスクリプション（たとえば、別の無線アクセス技術（ＲＡＴ／ＳＩＭ））に解放するように適合される。図５を見ると、本開示の少なくとも１つの例による、アクセス端末５００の追加の詳細を示すブロック図が示されている。アクセス端末５００は、通信インターフェース５０４および記憶媒体５０６に結合された、またはそれらと電気的に連通するように配置された、処理回路５０２を含む。
【００３５】
[0042]本開示のある態様によれば、アクセス端末５００は複数のサブスクリプションを使用するように適合される。したがって、アクセス端末５００は、一般にＳＩＭ−Ａ５０８およびオプションのＳＩＭ−Ｂ５１０によって表される、１つまたは複数のサブスクリプションモジュールを含み得る。サブスクリプションモジュール５０８、５１０はまた、本明細書において、加入者識別モジュール（ＳＩＭ）として交換可能に呼ばれ得る。しかしながら、１つまたは複数のサブスクリプションモジュールは、これらに限定されないが、加入者識別モジュール（ＳＩＭ）、リムーバブルユーザ識別モジュール（Ｒ−ＵＩＭ）、ユニバーサル集積回路カード（ＵＩＣＣ）、ＣＤＭＡ加入者識別モジュール（ＣＳＩＭ）、ユニバーサル加入者識別モジュール（ＵＳＩＭ））等を含む、１つまたは複数の適切なサブスクリプションモジュールであり得る。ＳＩＭ−Ａ５０８およびＳＩＭ−Ｂ５１０は、同じまたは異なるネットワークタイプを介して、異なるサービスサブスクリプション、異なるネットワークアクセスに関連付けられ得、および／あるいは、同じまたは異なる無線アクセス技術を使用し得る。少なくとも１つの例では、ＳＩＭ−Ａ５０８は、１ｘＥＶ−ＤＯネットワークなどの、第１の（またはデータ）サブスクリプションのために構成され得、（任意で）ＳＩＭ−Ｂ５１０は、１ｘ、ＧＳＭ、Ｗ−ＣＤＭＡ、および／またはＬＴＥネットワーク（１ｘ／Ｇ／Ｗ／Ｌ）などの別のネットワーク上の第２の（または音声）サブスクリプションのために構成され得る。
【００３６】
[0043]処理回路５０２は、データを取得、処理、および／または送信して、データアクセスおよびストレージを制御して、コマンドを発行して、他の所望の動作を制御するように構成される。処理回路５０２は、本開示に記載の１つまたは複数の機能を実行するように適合された、適切な媒体、および／または回路によって与えられる所望のプログラミングを実装するように適合された回路を含み得る。たとえば、処理回路５０２は、１つまたは複数のプロセッサ、１つまたは複数のコントローラ、および／または実行可能プログラミングを実行するように構成された他の構造として実装され得る。処理回路５０２の例は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックコンポーネント、ディスクリートゲートまたはトランジスタロジック、ディスクリートハードウェアコンポーネント、または、本明細書に記載の機能を実行するように設計されたそれらの任意の組合せを含み得る。汎用プロセッサは、マイクロプロセッサ、ならびに任意の従来のプロセッサ、コントローラ、マイクロコントローラ、または状態機械を含み得る。処理回路５０２はまた、ＤＳＰとマイクロプロセッサとの組合せ、いくつかのマイクロプロセッサ、ＤＳＰコア、ＡＳＩＣ、およびマイクロプロセッサと組み合わせた１つまたは複数のマイクロプロセッサ、または他の任意のいくつかの様々な構成などの、コンピューティングコンポーネントの組合せとして実装され得る。処理回路５０２のこれらの例は例示のためのものであり、本開示の範囲内の他の適切な構成も考えられる。
【００３７】
[0044]処理回路５０２は、記憶媒体５０６に記憶され得るプログラミングの実行を含む処理のために適応される。本明細書で使用される場合、「プログラミング」という用語は、ソフトウェア、ファームウェア、ミドルウェア、マイクロコード、ハードウェア記述言語、またはその他と呼ばれるかどうかに関わらず、限定なしに、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能等を含むように広く解釈されるべきである。
【００３８】
[0045]いくつかの例では、処理回路５０２は、第１のサブスクリプション（たとえば、１ｘＥＶ−ＤＯネットワーク）とのワイヤレス通信のための通信インターフェース５０４を利用するように構成された、サブスクリプションＡコントローラ回路５１２を含み得る。処理回路５０２は、第２のネットワーク（たとえば、１ｘ／Ｇ／Ｗ／Ｌネットワーク）とのワイヤレス通信のための通信インターフェース５０４を利用するように構成された、サブスクリプションＢコントローラ回路５１４をさらに含み得る。
【００３９】
[0046]通信インターフェース５０４は、アクセス端末５００のワイヤレス通信を容易にするように構成される。たとえば、通信インターフェース５０４は、１つまたは複数のワイヤレスネットワークデバイスに対して双方向に情報の通信を容易にするように適合された回路および／またはプログラミングを含み得る。通信インターフェース５０４は１つまたは複数のアンテナ（図示せず）に結合され得、少なくとも１つの受信機回路５１６（たとえば、１つまたは複数の受信機チェーン）および／または少なくとも１つの送信機回路５１８（たとえば、１つまたは複数の送信機チェーン）を含む、ワイヤレストランシーバ回路を含む。
【００４０】
[0047]記憶媒体５０６は、プロセッサ実行可能コードまたは命令（たとえば、ソフトウェア、ファームウェア）などのプログラミング、電子データ、データベース、あるいは他のデジタル情報を記憶するための１つまたは複数のプロセッサ可読デバイスを表し得る。記憶媒体５０６はまた、プログラミングを実行するときに処理回路５０２によって操作されるデータを記憶するために使用され得る。記憶媒体５０６は、汎用または専用プロセッサによってアクセスされ得、ポータブルまたは固定記憶デバイス、光記憶デバイス、ならびにプログラミングを記憶、含有、および／または搬送することができる他の様々な媒体を含む、任意の利用可能な媒体であり得る。限定ではなく例として、記憶媒体５０６は、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、および／またはプログラミングを記憶するための他の媒体などのプロセッサ可読記憶媒体、ならびにそれらの任意の組合せを含み得る。
【００４１】
[0048]記憶媒体５０６は、処理回路５０２が記憶媒体５０６から情報を読み取り、記憶媒体５０６に情報を書き込むことができるように処理回路５０２に結合され得る。すなわち、記憶媒体５０６は、記憶媒体５０６が処理回路５０２に統合されている例、および／または記憶媒体５０６が処理回路５０２とは分離されている例（たとえば、アクセス端末５００内に常駐する、アクセス端末５００の外部にある、複数のエンティティにわたって分散される）を含む、記憶媒体５０６が処理回路５０２によって少なくともアクセス可能であるように処理回路５０２に結合され得る。
【００４２】
[0001]記憶媒体５０６によって記憶されたプログラミングは、処理回路５０２によって実行されたとき、処理回路５０２に、本明細書で説明する様々な機能および／またはプロセスステップのうちの１つまたは複数を実行することを行わせる。少なくともいくつかの例では、記憶媒体５０６は、それぞれが処理回路５０２の１つまたは複数のハードウェアブロックで動作を調整するために、ならびにそれらのそれぞれの通信プロトコルを利用するワイヤレス通信のために通信インターフェース５０４を利用するように構成された、サブスクリプションＡ命令５２０、およびサブスクリプションＢ命令５２２を含み得る。たとえば、サブスクリプションＡ命令ブロック５１６は、ＳＩＭ  Ａ５０８に対応するサブスクリプションなどの第１のサブスクリプション（たとえば、１ｘＥＶ−ＤＯネットワーク）に対応するアクティブおよびアイドルモード動作のために構成され得る。同様に、サブスクリプションＢ命令ブロック５２２は、ＳＩＭ  Ｂ５１０に対応するサブスクリプションなどの第２のサブスクリプション（たとえば、１ｘ／ＧＳＭ／Ｗ−ＣＤＭＡ／ＬＴＥネットワーク）に対応するアクティブおよびアイドルモード動作のために構成され得る。
【００４３】
[0049]したがって、本開示の１つまたは複数の態様によれば、処理回路５０２は、本明細書に記載のアクセス端末のうちのいずれかまたはすべて（たとえば、アクセス端末１０４、アクセス端末３００、アクセス端末５００）のために、プロセス、機能、ステップおよび／またはルーチンのいずれかまたはすべてを実行する（記憶媒体５０６に関連して）ように適合される。本明細書で使用される場合、処理回路５０２に関連して「適合される」という用語は、本明細書に記載の様々な特徴による、特定のプロセス、機能、ステップ、および／またはルーチンを実行するように構成される、使用される、実装される、および／またはプログラムされる（記憶媒体５０６に関連して）、のうちの１つまたは複数である処理回路５０２を指すことができる。
【００４４】
[0050]上述のように、アクセス端末５００は、第１のサブスクリプション（たとえば、ＳＩＭ  Ａ５０８に関連付けられるサブスクリプション）が、典型的には第２のサブスクリプション（たとえば、ＳＩＭ  Ｂ５１０に関連付けられるサブスクリプション）がページを失うことになる方法で、通信インターフェース５０４のリソースを利用する事例が発生する場合がある。そのようなシナリオの一例は、アクセス端末５００がサービスの頻繁な損失をもたらす状態で動作している場合であり、通信インターフェース５０４のリソースをロックアップする繰り返される取得手順をもたらす。しかしながら、アクセス端末５００は、第２のサブスクリプションが定期的なモバイル着信ページメッセージを監視することを可能にするために、第１のサブスクリプション上の手順を一時停止するように適合される。
【００４５】
[0051]図６は、アクセス端末５００などのアクセス端末上で動作可能な方法の少なくとも１つの例を示す流れ図である。図５および図６を参照すると、アクセス端末５００は、第１のサブスクリプションがワイヤレス通信のためにＲＦリソースを使用することを可能にし得る。たとえば、６０２で、アクセス端末５００は、第１のサブスクリプションに取得手順を実行し得る。一例では、サブスクリプションＡ命令５２０を実行している処理回路５０２（たとえば、サブスクリプションＡコントローラ５１２）は、ＳＩＭ  Ａ５０８に関連付けられる第１のサブスクリプションに取得手順を実行するために通信インターフェース５０４を使用し得る。
【００４６】
[0052]アクセス端末５００は、第２のサブスクリプションに関連付けられるモバイル着信ページを取得する目的のために第２のサブスクリプションにチューニングするために、通信インターフェースのＲＦリソースを使用する第１のサブスクリプションの活動を一時停止することができる。たとえば、６０４で、アクセス端末５００は、第２のサブスクリプションがモバイル着信ページを取得することを可能にするために通信インターフェース５０４をチューニングするために、第１のサブスクリプションでの取得手順を一時停止することができる。少なくとも１つの実装形態では、サブスクリプションＡ命令５２０を実行している処理回路５０２（たとえば、サブスクリプションＡコントローラ５１２）は、第１のサブスクリプションでの取得手順を一時停止することができ、また、通信インターフェース５０４のリソースを第２のサブスクリプションに解放することができる。次いで、サブスクリプションＢ命令５２２を実行している処理回路５０２（たとえば、サブスクリプションＢコントローラ５１４）は、受信回路５１６が着信ページメッセージを受信して処理することを可能にするために、通信インターフェース５０４をチューニングすることができる。
【００４７】
[0053]少なくとも１つの実装形態では、アクセス端末５００は、第１のサブスクリプションでの取得手順を一時停止して、第２のサブスクリプションに関連付けられるページングスケジュールに従って第２のサブスクリプションをチューニングすることができる。すなわち、第２のサブスクリプションがスロッテッドＩＤＬＥモードで動作しているとき、第２のサブスクリプションは、アクセス端末５００に向けられ得るページをリッスンするために、あらかじめ定められた間隔でページングチャネルをリッスンしていると予測される。スロッテッドＩＤＬＥモードのいくつかの例では、ページスロットは５秒ごとにスケジューリングされ得る。したがって、処理回路５０２は、第１のサブスクリプションを一時停止して、あらかじめ定められた間隔に応じて次のページングサイクルに間に合うようにページメッセージを監視するために通信インターフェース５０４を第２のサブスクリプションにチューニングすることができる。
【００４８】
[0054]ステップ６０６で、アクセス端末５００は、第２のサブスクリプション上のモバイル着信ページメッセージを監視することができる。たとえば、サブスクリプションＢ命令５２２を実行している処理回路５０２（たとえば、サブスクリプションＢコントローラ５１４）は、第２のサブスクリプションに関連付けられるモバイル着信ページメッセージのために、通信インターフェース５０４を介して第２のサブスクリプションを監視することができる。
【００４９】
[0055]第２のサブスクリプション上のページハンドリング動作が完了すると、６０８で、アクセス端末６０８は、ＲＦリソースを第１のサブスクリプションに返すことができる。たとえば、処理回路５０２は、通信インターフェース５０４のリソースを第１のサブスクリプションに解放することができ、取得手順などの第１のサブスクリプション上で一時停止された動作を継続するために、通信インターフェース５０４が第１のサブスクリプションにチューニングして戻ることを可能にする。
【００５０】
[0056]上述のように、いくつかの例は、取得手順を実行するために第１のサブスクリプションがＲＦリソースを使用する例を含む。また、図４を参照して上述したように、そのような取得手順の間、アクセス端末は典型的にＡＣＱ状態（図４の４０８〜４１０参照）およびＳＹＮＣ状態を含む様々な状態を使用する（図４の４１２〜４１４参照。図７および図８は、アクセス端末５００などの本開示のアクセス端末によって実装され得る取得手順に関連付けられるプロセスの例を示す流れ図である。
【００５１】
[0057]図７では、アクセス端末５００は、取得手順のＡＣＱ状態で動作していてよい。ＡＣＱ状態で動作を実行している間、アクセス端末５００は、第２のサブスクリプションに対応する、着信ページメッセージを検出（および／または、その存在を予測）し得る。すなわち、アクセス端末５００は、定期的なページスロットが第２のサブスクリプションに到着していることを検出し得る。ここでは、第２のサブスクリプション、または着信ページに対応するメッセージが、第１のサブスクリプション上でＡＣＱ状態で進行中の取得動作よりも高い優先度であると考えられる場合であり得る。したがって、ブロック７０２で、サブスクリプションＡコントローラ５１２は、サブスクリプションＢコントローラ５１４が、着信ページメッセージを受信して処理するためにＲＦリソースを利用できるように、ＲＦリソースを解放することができる。その後、第２のサブスクリプションページハンドリング動作が完了すると、ブロック７０４で、アクセス端末５００は、ＲＦリソース（たとえば、通信インタ−フェース５０４に対応する）をサブスクリプションＡコントローラ５１２の制御に返すことができる。ここでは、アクセス端末５００が、第２のサブスクリプションの制御からＲＦリソースを解放すると、本開示のいくつかの態様では、通信インターフェース５０４は、取得動作を再開する際に（以下に記載されるように）、アクセス端末５００がブロック７０２でＲＦリソースの解放前に進行中であった取得動作を再開することが可能であり得るように適切な状態に保持され得る。別の例では、アクセス端末５００は、技術的便宜や操作者の嗜好に応じて、初期状態から開始することができる。したがって、ブロック７０６で、サブスクリプションＡコントローラ５１２は、たとえば、以前の取得試みにおいて利用されたものと同じ帯域とチャネルの組合せで、ＡＣＱ状態動作を再スタートまたは再開することができる。
【００５２】
[0058]図８の流れ図によって示されるプロセスは、一般に、アクセス端末５００のサブスクリプションＡコントローラ５１２がＳＹＮＣ状態で動作している状況に対応する。ここでは、ＳＹＮＣ状態動作を実行している間、アクセス端末５００は第２のサブスクリプションに対応する着信ページメッセージを検出（および／または、その存在を予測）し得る。すなわち、アクセス端末５００は、ページメッセージを受信するためのあらかじめ定められたタイムスロットが第２のサブスクリプションに到着していることを決定し得る。第２のサブスクリプションに対応するページメッセージが予測されない場合、プロセスはブロック８０２に進むことができ、ここにおいて、サブスクリプションＡコントローラ５１２は通常のＳＹＮＣモード動作を継続することができる。しかしながら、第２のサブスクリプションに対応するページメッセージが予測される場合、それは第２のサブスクリプション、または着信ページに対応するメッセージが、ＳＹＮＣ状態で進行中の第１のサブスクリプション動作よりも高い優先度であると考えられる場合であり得る。したがって、ブロック８０４で、サブスクリプションＡコントローラ５１２は、ブロック８０６でＳＹＮＣ−ＳＵＳＰＥＮＤ状態に移行することによってＳＹＮＣ動作を一時停止することができる。
【００５３】
[0059]ＳＹＮＣ−ＳＵＳＰＥＮＤ状態が使用されると、サブスクリプションＡコントローラ５１２は、ＳＹＮＣ  ＴＩＭＥＯＵＴタイマを一時停止し得る。典型的に、ＳＹＮＣ  ＴＩＭＥＯＵＴタイマは、あらかじめ定められた時間の期間（たとえば、５秒）の後にＳＹＮＣ動作を終了させるために使用される。しかしながら、第２のサブスクリプション上のページング動作は、いくつかの例ではＳＹＮＣ  ＴＩＭＥＯＵＴタイマの期間よりも長い時間がかかる場合がある。第２のサブスクリプションがページングメッセージをハンドリングしている間にＳＹＮＣ動作がタイムアウトすることを回避するために、サブスクリプションＡコントローラ５１２は、アクセス端末５００が第２のサブスクリプションにチューニングされている時間の期間の間にＳＹＮＣ  ＴＩＭＥＯＵＴタイマを一時停止することができる。ＳＹＮＣ  ＴＩＭＥＯＵＴタイマを一時停止することによって、サブスクリプションＡコントローラ５１２は、ＳＹＮＣ失敗を宣言する前にＳＹＮＣ動作を完了させるために、ページハンドリング動作の後に十分な量の時間を有することができる。
【００５４】
[0060]いくつかの実装形態では、サブスクリプションＡコントローラ５１２は、ＳＹＮＣ  ＴＩＭＥＯＵＴタイマが一時停止され得る時間の量をさらに制限し得る。たとえば、ＳＹＮＣ  ＴＩＭＥＯＵＴタイマが一時停止されると、ＳＹＮＣ  ＳＵＳＰＥＮＤタイマがあらかじめ定められた時間（たとえば、５秒間）にわたって開始され得る。ＳＹＮＣ  ＳＵＳＰＥＮＤタイマが切れると、サブスクリプションＡコントローラ５１２は、ＳＹＮＣ失敗を決定することができ、ＳＹＮＣ動作のタイミングアウトという結果になる。すなわち、アクセス端末５００が第２のサブスクリプションにチューニングされている間にＳＹＮＣ  ＳＵＳＰＥＮＤタイマが切れると、サブスクリプションＡコントローラ５１２は、ＳＹＮＣ動作が中断したところでピックアップする代わりに、アクセス端末５００が第１のサブスクリプションにチューニングして戻されたときにＳＹＮＣ動作を再スタートすることができる。
【００５５】
[0061]ブロック８０８で、サブスクリプションＡコントローラ５１２は、第２のサブスクリプションページのハンドリング動作を与えるために、指定されたＲＦアンロック時間内にＲＦリソースを解放することができる。第２のサブスクリプションページハンドリング動作が完了すると、ブロック８１０で、アクセス端末５００は、ＳＹＮＣ動作を継続するために、ＲＦリソースをサブスクリプションＡコントローラ５１２に返すことができる。アクセス端末５００が第２のサブスクリプションにチューニングされている時間の間にＳＹＮＣ  ＳＵＳＰＥＮＤタイマが切れなかった場合、ブロック８１２で、サブスクリプションＡコントローラ５１２は、ＳＹＮＣメッセージを復号するために以前に接続されていた同じセクタを継続することができる。さらに、ブロック８１４で、サブスクリプションＡコントローラ５１２は、ＳＹＮＣ  ＴＩＭＥＯＵＴタイマを元に戻すことができる。
【００５６】
[0062]一方、アクセス端末５００が第２のサブスクリプションにチューニングされていた時間の間にＳＹＮＣ  ＳＵＳＰＥＮＤタイマが切れた場合、ブロック８１２で、サブスクリプションＡコントローラ５１２は、ブロック８１４で新しいＳＹＮＣ  ＴＩＭＥＯＵＴタイマを開始することを含む、ＳＹＮＣ動作を再スタートすることができる。
【００５７】
[0063]本開示の１つまたは複数の態様を利用することによって、第２のサブスクリプションに関連付けられる無線アクセスネットワークのための、モバイル着信ページ復号の成功率の増加を達成することができる。さらに、本開示の１つまたは複数の態様は、同期動作中のシステムロスト（たとえば、ＨＤＲ同期失敗）の発生の減少を確実にすることができる。
【００５８】
[0064]上述の態様、配置、および実施形態は、特定の詳細および特殊性で議論されているが、図１、図２、図３、図４、図５、図６、図７、および／または図８に示される構成要素、ステップ、特徴、および／または機能のうちの１つまたは複数は、再配置、および／または単一の構成要素、ステップ、特徴、または機能に結合されてもよく、いくつかの構成要素、ステップ、または機能に具現化されてもよい。本開示から逸脱することなしに、追加の要素、構成要素、ステップ、および／または機能が追加されてもよく、利用されなくてもよい。図１、図３、および／または図５に示される装置、デバイス、および／または構成要素は、図２、図４、図６、図７、および／または図８において説明される方法、特徴、パラメータ、および／またはステップのうちの１つまたは複数を実行または使用するように構成され得る。本明細書に記載の新規のアルゴリズムはまた、ソフトウェアに効率的に実装されてもよく、および／またはハードウェアに埋め込まれてもよい。
【００５９】
[0065]本開示の特徴が、いくつかの実施形態および図に関連して説明されていることがあるが、本開示のすべての実施形態は、本明細書で説明した有利な特徴のうちの１つまたは複数を含むことができる。言い換えれば、１つまたは複数の実施形態が、いくつかの有利な特徴を有するものとして説明されていることがあるが、そのような特徴のうちの１つまたは複数は、本明細書で説明した様々な実施形態のうちのいずれに従っても同じく使用され得る。同様に、例示的な実施形態が、本明細書ではデバイス、システム、または方法の実施形態として説明されていることがあるが、そのような例示的な実施形態は、様々なデバイス、システム、および方法で実装され得ることを理解されたい。
【００６０】
[0066]また、少なくともいくつかの実装形態について、フローチャート、流れ図、構造図、またはブロック図として示されたプロセスとして説明したことに留意されたい。フローチャートは動作を順次プロセスとして記述することができるが、動作の多くは並行して、または同時に実行され得る。さらに、動作の順序は再配置され得る。プロセスは、その動作が完了すると終了する。プロセスは、方法、機能、手順、サブルーチン、サブプログラム等に対応し得る。プロセスが機能に対応する場合、その終了は、呼出し機能または主機能への機能の戻りに対応する。このように、本明細書に記載の様々な方法は、プロセッサ可読記憶媒体に記憶され得るプログラミング（たとえば、命令および／またはデータ）によって、部分的に、または完全に実装され得、１つまたは複数のプロセッサ、機械、および／またはデバイスによって実行され得る。
【００６１】
[0067]本明細書において開示した実施形態に関連して説明した、様々な説明的な論理ブロック、モジュール、回路、およびアルゴリズムステップは、ハードウェア、ソフトウェア、ファームウェア、ミドルウェア、マイクロコード、またはそれらの任意の組合せとして実装され得ることを、当業者はさらに認識するであろう。この互換性を明確に示すために、様々な例示的な構成要素、ブロック、モジュール、回路、およびステップについて、上記では概してそれらの機能に関して説明した。そのような機能が、ハードウェアとして実装されるかまたはソフトウェアとして実装されるかは、特定の適用例およびシステム全体に課せられた設計制約に依存する。
【００６２】
[0068]様々な特徴は、本明細書に記載され、添付の図面において示される例に関連付け、本開示の範囲から逸脱することなしに、異なる例および実装形態で実装され得る。したがって、ある特定の構成および配置は、添付の図面に記載され、示されているが、記載される実施形態への様々な他の追加および修正、およびそれからの欠失は、当業者には明らかであるため、そのような実施形態は単なる例示であり、本開示の範囲を限定するものではない。したがって、本開示の範囲は、以下の特許請求の範囲の文字通りの文言、および法的均等物によってのみ決定される。
【図１】
2017510102.tif 000003
【図２】
2017510102.tif 000004
【図３】
2017510102.tif 000005
【図４】
2017510102.tif 000006
【図５】
2017510102.tif 000007
【図６】
2017510102.tif 000008
【図７】
2017510102.tif 000009
【図８】
2017510102.tif 000010
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
通信インターフェースと、
第１のサブスクリプションに関連付けられる第１のサブスクリプションモジュールと第２のサブスクリプションに関連付けられる第２のサブスクリプションモジュールとを含む、複数のサブスクリプションモジュールと、
前記通信インターフェースおよび前記複数のサブスクリプションモジュールに結合された処理回路と
を備え、前記処理回路が、
前記通信インターフェースを介して、前記第１のサブスクリプションの取得プロセスを実行し、
前記第２のサブスクリプション上のモバイル着信ページを検出し、
前記モバイル着信ページを検出することに応答して、前記第１のサブスクリプションの前記取得プロセスを一時停止し、前記第２のサブスクリプション上の前記モバイル着信ページのために前記通信インターフェースを前記第２のサブスクリプションにチューニングする
ように適合される、アクセス端末。
【請求項２】
前記処理回路が、前記第２のサブスクリプションの前記モバイル着信ページを受信して処理した後に、前記第１のサブスクリプションの前記取得プロセスを再開するようにさらに適合される、請求項１に記載のアクセス端末。
【請求項３】
前記第１のサブスクリプションの取得プロセスを実行するように適合された前記処理回路が、
前記第１のサブスクリプション上で取得（ＡＣＱ）状態で動作する、または、
前記第１のサブスクリプション上で同期（ＳＹＮＣ）状態で動作する
ように適合された前記処理回路を備える、請求項１に記載のアクセス端末。
【請求項４】
前記処理回路が、前記第１のサブスクリプション上で前記同期（ＳＹＮＣ）状態で動作するように適合され、ここにおいて、前記第１のサブスクリプション上の前記取得プロセスを一時停止するように適合された前記処理回路が、同期タイムアウト（ＳＹＮＣ  ＴＩＭＯＵＴ）タイマを一時停止するように適合された前記処理回路を備える、請求項３に記載のアクセス端末。
【請求項５】
前記同期タイムアウトタイマが一時停止される時に、前記処理回路が、ＳＹＮＣ  ＳＵＳＰＥＮＤタイマを開始するようにさらに適合される、請求項４に記載のアクセス端末。
【請求項６】
前記第１のサブスクリプションに関連付けられる前記第１のサブスクリプションモジュールが、データ通信のために使用され、
前記第２のサブスクリプションに関連付けられる前記第２のサブスクリプションモジュールが、音声通信のために使用される、請求項１に記載のアクセス端末。
【請求項７】
前記第１のサブスクリプションに関連付けられる前記第１のサブスクリプションモジュールが、１ｘＥＶ−ＤＯ無線アクセスネットワーク上のデータ通信のために適合され、
前記第２のサブスクリプションに関連付けられる前記第２のサブスクリプションモジュールが、ｃｄｍａ２０００  １ｘ無線アクセスネットワーク、ＧＳＭ（登録商標）無線アクセスネットワーク、Ｗ−ＣＤＭＡ（登録商標）無線アクセスネットワーク、およびＬＴＥ無線アクセスネットワークのうちの１つのネットワーク上の音声通信のために適合される、請求項１に記載のアクセス端末。
【請求項８】
第１のサブスクリプションの取得プロセスを実行することと、
第２のサブスクリプション上のモバイル着信ページを検出することと、
前記モバイル着信ページを検出することに応答して、前記第１のサブスクリプションの前記取得プロセスを一時停止することと、
前記第２のサブスクリプションに関連付けられるモバイル着信ページの受信を可能にするために、第２のサブスクリプションにチューニングすることと
を備える、アクセス端末上で動作可能な方法。
【請求項９】
前記第２のサブスクリプションに関連付けられる前記モバイル着信ページを受信して処理した後に、前記第１のサブスクリプションの前記取得プロセスを再開すること
をさらに備える、請求項８に記載の方法。
【請求項１０】
前記第１のサブスクリプションの取得プロセスを実行することが、
前記第１のサブスクリプション上で取得（ＡＣＱ）状態で動作すること、または、
前記第１のサブスクリプション上で同期（ＳＹＮＣ）状態で動作すること
を備える、請求項８に記載の方法。
【請求項１１】
前記第１のサブスクリプションの取得プロセスを実行することが、前記第１のサブスクリプション上で同期（ＳＹＮＣ）状態で動作することを備え、ここにおいて、前記第１のサブスクリプションの前記取得プロセスを一時停止することが、同期タイムアウト（ＳＹＮＣ  ＴＩＭＯＵＴ）タイマを一時停止することを備える、請求項８に記載の方法。
【請求項１２】
前記同期タイムアウト（ＳＹＮＣ  ＴＩＭＯＵＴ）タイマを一時停止することが、ＳＹＮＣ  ＳＵＳＰＥＮＤタイマを開始することを備える、請求項１１に記載の方法。
【請求項１３】
第１のサブスクリプションの取得プロセスを実行することが、１ｘＥＶ−ＤＯ無線アクセスネットワークで前記取得プロセスを実行することを備え、
前記第２のサブスクリプションに関連付けられる第２のサブスクリプションモジュールが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために使用される、請求項８に記載のアクセス端末。
【請求項１４】
前記第２のサブスクリプションにチューニングすることが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つにチューニングすることを備える、請求項８に記載のアクセス端末。
【請求項１５】
第１のサブスクリプションの取得プロセスを実行するための手段と、
第２のサブスクリプション上のモバイル着信ページを検出するための手段と、
前記モバイル着信ページを検出すること応答して、前記第１のサブスクリプションの前記取得プロセスを一時停止するための手段と、
前記第２のサブスクリプションに関連付けられる前記モバイル着信ページの受信を可能にするために、前記第２のサブスクリプションにチューニングするための手段と
を備える、アクセス端末。
【請求項１６】
前記第２のサブスクリプションに関連付けられる前記モバイル着信ページを受信して処理した後に、前記第１のサブスクリプションの前記取得プロセスを再開するための手段
をさらに備える、請求項１５に記載のアクセス端末。
【請求項１７】
前記第１のサブスクリプションの取得プロセスを実行するための前記手段が、前記第１のサブスクリプション上の取得（ＡＣＱ）状態と、前記第１のサブスクリプション上の同期（ＳＹＮＣ）状態とのうちの少なくとも１つにおいて動作するための手段を備える、請求項１５に記載のアクセス端末。
【請求項１８】
前記第１のサブスクリプションの取得プロセスを実行するための前記手段が、前記第１のサブスクリプション上の同期（ＳＹＮＣ）状態で動作するための手段を備え、
前記第１のサブスクリプションの前記取得プロセスを一時停止するための前記手段が、同期タイムアウト（ＳＹＮＣ  ＴＩＭＯＵＴ）タイマを一時停止するための手段を備える、請求項１５に記載のアクセス端末。
【請求項１９】
前記同期タイムアウト（ＳＹＮＣ  ＴＩＭＯＵＴ）タイマを一時停止するための前記手段が、ＳＹＮＣ  ＳＵＳＰＥＮＤタイマを開始することを備える、請求項１８に記載のアクセス端末。
【請求項２０】
前記第１のサブスクリプションがデータ通信のために使用され、
前記第２のサブスクリプションが音声通信のために使用される、請求項１５に記載のアクセス端末。
【請求項２１】
前記第１のサブスクリプションが、１ｘＥＶ−ＤＯ無線アクセスネットワーク上のデータ通信のために適合され、
前記第２のサブスクリプションが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために適合される、請求項１５に記載のアクセス端末。
【請求項２２】
処理回路に、
第１のサブスクリプションの取得プロセスを実行することと、
第２のサブスクリプション上のモバイル着信ページを検出することと、
前記モバイル着信ページを検出することに応答して、前記第１のサブスクリプションの前記取得プロセスを一時停止することと、
前記第２のサブスクリプションに関連付けられる前記モバイル着信ページの受信を可能にするために通信インターフェースリソースを前記第２のサブスクリプションに解放することと
を行わせるプログラミングを備える、プロセッサ可読記憶媒体。
【請求項２３】
処理回路に、
前記第２のサブスクリプションに関連付けられる前記モバイル着信ページを受信して処理した後に、前記第１のサブスクリプションの前記取得プロセスを再開すること
を行わせるためのプログラミングをさらに備える、請求項２２に記載のプロセッサ可読記憶媒体。
【請求項２４】
前記第１のサブスクリプションの前記取得プロセスが、前記第１のサブスクリプション上の取得（ＡＣＱ）状態と、同期（ＳＹＮＣ）状態とのうちの少なくとも１つにおける動作を備える、請求項２２に記載のプロセッサ可読記憶媒体。
【請求項２５】
前記第１のサブスクリプションの前記取得プロセスが、前記第１のサブスクリプション上で同期（ＳＹＮＣ）状態で動作することを備え、ここにおいて、処理回路に前記第１のサブスクリプションの前記取得プロセスを一時停止することを行わせるための前記プログラミングが、処理回路に同期タイムアウト（ＳＹＮＣ  ＴＩＭＯＵＴ）タイマを一時停止することを行わせるためのプログラミングを備える、請求項２２に記載のプロセッサ可読記憶媒体。
【請求項２６】
処理回路に、前記同期タイムアウト（ＳＹＮＣ  ＴＩＭＯＵＴ）タイマを一時停止することを行わせるための前記プログラミングが、処理回路にＳＹＮＣ  ＳＵＳＰＥＮＤタイマを開始することを行わせるためのプログラミングを備える、請求項２５に記載のプロセッサ可読記憶媒体。
【請求項２７】
前記第１のサブスクリプションがデータ通信のために使用され、
前記第２のサブスクリプションが音声通信のために使用される、請求項２２に記載のプロセッサ可読記憶媒体。
【請求項２８】
前記第１のサブスクリプションが、１ｘＥＶ−ＤＯ無線アクセスネットワーク上のデータ通信のために適合され、
前記第２のサブスクリプションが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために適合される、請求項２２に記載のプロセッサ可読記憶媒体。
【手続補正２】
【補正対象書類名】明細書
【補正対象項目名】００６２
【補正方法】変更
【補正の内容】
【００６２】
[0068]様々な特徴は、本明細書に記載され、添付の図面において示される例に関連付け、本開示の範囲から逸脱することなしに、異なる例および実装形態で実装され得る。したがって、ある特定の構成および配置は、添付の図面に記載され、示されているが、記載される実施形態への様々な他の追加および修正、およびそれからの欠失は、当業者には明らかであるため、そのような実施形態は単なる例示であり、本開示の範囲を限定するものではない。したがって、本開示の範囲は、以下の特許請求の範囲の文字通りの文言、および法的均等物によってのみ決定される。
以下に、本願出願の当初の特許請求の範囲に記載された発明を付記する。
［Ｃ１］
通信インターフェースと、
第１のサブスクリプションに関連付けられる第１のサブスクリプションモジュールと第２のサブスクリプションに関連付けられる第２のサブスクリプションモジュールとを含む、複数のサブスクリプションモジュールと、
前記通信インターフェースおよび前記複数のサブスクリプションモジュールに結合された処理回路と
を備え、前記処理回路が、
前記通信インターフェースを介して、前記第１のサブスクリプションの取得プロセスを実行し、
前記第１のサブスクリプションの前記取得プロセスを一時停止し、前記第２のサブスクリプション上のモバイル着信ページのために前記通信インターフェースを前記第２のサブスクリプションにチューニングし、
前記通信インターフェースを介してモバイル着信ページの前記第２のサブスクリプションを監視するように適合される、アクセス端末。
［Ｃ２］
前記処理回路が、前記第２のサブスクリプションのモバイル着信ページを受信して処理した後に、前記第１のサブスクリプションの前記取得プロセスを再開するようにさらに適合される、Ｃ１に記載のアクセス端末。
［Ｃ３］
前記第１のサブスクリプションの取得プロセスを実行するように適合された前記処理回路が、
前記第１のサブスクリプション上で取得（ＡＣＱ）状態で動作する、または、
前記第１のサブスクリプション上で同期（ＳＹＮＣ）状態で動作するように適合された前記処理回路を備える、Ｃ１に記載のアクセス端末。
［Ｃ４］
前記処理回路が、前記第１のサブスクリプション上で前記同期（ＳＹＮＣ）状態で動作するように適合され、ここにおいて、前記第１のサブスクリプション上の前記取得プロセスを一時停止するように適合された前記処理回路が、同期タイムアウト（ＳＹＮＣ  ＴＩＭＯＵＴ）タイマを一時停止するように適合された前記処理回路を備える、Ｃ３に記載のアクセス端末。
［Ｃ５］
前記処理回路が、前記同期タイムアウトタイマの時に、ＳＹＮＣ  ＳＵＳＰＥＮＤタイマを開始するようにさらに適合される、Ｃ４に記載のアクセス端末。
［Ｃ６］
前記第１のサブスクリプションに関連付けられる前記第１のサブスクリプションモジュールが、データ通信のために使用され、
前記第２のサブスクリプションに関連付けられる前記第２のサブスクリプションモジュールが、音声通信のために使用される、Ｃ１に記載のアクセス端末。
［Ｃ７］
前記第１のサブスクリプションに関連付けられる前記第１のサブスクリプションモジュールが、１ｘＥＶ−ＤＯ無線アクセスネットワーク上のデータ通信のために適合され、
前記第２のサブスクリプションに関連付けられる前記第２のサブスクリプションモジュールが、ｃｄｍａ２０００  １ｘ無線アクセスネットワーク、ＧＳＭ（登録商標）無線アクセスネットワーク、Ｗ−ＣＤＭＡ（登録商標）無線アクセスネットワーク、およびＬＴＥ無線アクセスネットワークのうちの１つのネットワーク上の音声通信のために適合される、Ｃ１に記載のアクセス端末。
［Ｃ８］
第１のサブスクリプションの取得プロセスを実行することと、
前記第１のサブスクリプションの前記取得プロセスを一時停止することと、
前記第２のサブスクリプションに関連付けられるモバイル着信ページの受信を可能にするために、第２のサブスクリプションにチューニングすることと、
前記第２のサブスクリプションに関連付けられるモバイル着信ページを監視することと
を備える、アクセス端末上で動作可能な方法。
［Ｃ９］
前記第２のサブスクリプションに関連付けられるモバイル着信ページを受信して処理した後に、前記第１のサブスクリプションの前記取得プロセスを再開することをさらに備える、Ｃ８に記載の方法。
［Ｃ１０］
前記第１のサブスクリプションの取得プロセスを実行することが、
前記第１のサブスクリプション上で取得（ＡＣＱ）状態で動作すること、または、
前記第１のサブスクリプション上で同期（ＳＹＮＣ）状態で動作することを備える、Ｃ８に記載の方法。
［Ｃ１１］
前記第１のサブスクリプションの取得処理を実行することが、前記第１のサブスクリプション上で同期（ＳＹＮＣ）状態で動作することを備え、ここにおいて、前記第１のサブスクリプションの前記取得プロセスを一時停止することが、同期タイムアウト（ＳＹＮＣ
ＴＩＭＯＵＴ）タイマを一時停止することを備える、Ｃ８に記載の方法。
［Ｃ１２］
前記同期タイムアウト（ＳＹＮＣ  ＴＩＭＯＵＴ）タイマを一時停止することが、ＳＹＮＣ  ＳＵＳＰＥＮＤタイマを開始することを備える、Ｃ１１に記載の方法。
［Ｃ１３］
第１のサブスクリプションの取得プロセスを実行することが、１ｘＥＶ−ＤＯ無線アクセスネットワークで前記取得プロセスを実行することを備え、
前記第２のサブスクリプションに関連付けられる前記第２のサブスクリプションモジュールが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために使用される、Ｃ８に記載のアクセス端末。
［Ｃ１４］
前記第２のサブスクリプションにチューニングすることが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つにチューニングすることを備える、Ｃ８に記載のアクセス端末。
［Ｃ１５］
第１のサブスクリプションの取得プロセスを実行するための手段と、
前記第１のサブスクリプションの前記取得プロセスを一時停止するための手段と、
前記第２のサブスクリプションに関連付けられるモバイル着信ページの受信を可能にするために、第２のサブスクリプションにチューニングするための手段と、
前記第２のサブスクリプションに関連付けられるモバイル着信ページを監視するための手段と
を備える、アクセス端末。
［Ｃ１６］
前記第２のサブスクリプションに関連付けられるモバイル着信ページを受信して処理した後に、前記第１のサブスクリプションの前記取得プロセスを再開するための手段をさらに備える、Ｃ１５に記載のアクセス端末。
［Ｃ１７］
前記第１のサブスクリプションの取得プロセスを実行するための前記手段が、前記第１のサブスクリプション上の取得（ＡＣＱ）状態と、前記第１のサブスクリプション上の同期（ＳＹＮＣ）状態とのうちの少なくとも１つにおいて動作するための手段を備える、Ｃ１５に記載のアクセス端末。
［Ｃ１８］
前記第１のサブスクリプションの取得プロセスを実行するための前記手段が、前記第１のサブスクリプション上の同期（ＳＹＮＣ）状態で動作するための手段を備え、
前記第１のサブスクリプションの前記取得プロセスを一時停止するための前記手段が、同期タイムアウト（ＳＹＮＣ  ＴＩＭＯＵＴ）タイマを一時停止するための手段を備える、Ｃ１５に記載のアクセス端末。
［Ｃ１９］
前記同期タイムアウト（ＳＹＮＣ  ＴＩＭＯＵＴ）タイマを一時停止するための前記手段が、ＳＹＮＣ  ＳＵＳＰＥＮＤタイマを開始することを備える、Ｃ１８に記載のアクセス端末。
［Ｃ２０］
前記第１のサブスクリプションがデータ通信のために使用され、
前記第２のサブスクリプションが音声通信のために使用される、Ｃ１５に記載のアクセス端末。
［Ｃ２１］
前記第１のサブスクリプションが、１ｘＥＶ−ＤＯ無線アクセスネットワーク上のデータ通信のために適合され、
前記第２のサブスクリプションが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために適合される、Ｃ１５に記載のアクセス端末。
［Ｃ２２］
処理回路に、
第１のサブスクリプションの取得プロセスを実行することと、
前記第１のサブスクリプションの前記取得プロセスを一時停止することと、
前記第２のサブスクリプションに関連付けられるモバイル着信ページの受信を可能にするために通信インターフェースリソースを第２のサブスクリプションに解放することと、
前記第２のサブスクリプションに関連付けられるモバイル着信ページを監視することと
を行わせるプログラミングを備える、プロセッサ可読記憶媒体。
［Ｃ２３］
処理回路に、
前記第２のサブスクリプションに関連付けられるモバイル着信ページを受信して処理した後に、前記第１のサブスクリプションの前記取得プロセスを再開することを行わせるためのプログラミングをさらに備える、Ｃ２２に記載のプロセッサ可読記憶媒体。
［Ｃ２４］
前記第１のサブスクリプションの前記取得プロセスが、前記第１のサブスクリプション上の取得（ＡＣＱ）状態と、同期（ＳＹＮＣ）状態とのうちの少なくとも１つにおける動作を備える、Ｃ２２に記載のプロセッサ可読記憶媒体。
［Ｃ２５］
前記第１のサブスクリプションの前記取得プロセスが、前記第１のサブスクリプション上で同期（ＳＹＮＣ）状態で動作することを備え、ここにおいて、処理回路に前記第１のサブスクリプションの前記取得プロセスを一時停止することを行わせるための前記プログラミングが、処理回路に同期タイムアウト（ＳＹＮＣ  ＴＩＭＯＵＴ）タイマを一時停止することを行わせるためのプログラミングを備える、Ｃ２２に記載のプロセッサ可読記憶媒体。
［Ｃ２６］
処理回路に、前記同期タイムアウト（ＳＹＮＣ  ＴＩＭＯＵＴ）タイマを一時停止することを行わせるための前記プログラミングが、処理回路にＳＹＮＣ  ＳＵＳＰＥＮＤタイマを開始することを行わせるためのプログラミングを備える、Ｃ２５に記載のプロセッサ可読記憶媒体。
［Ｃ２７］
前記第１のサブスクリプションがデータ通信のために使用され、
前記第２のサブスクリプションが音声通信のために使用される、Ｃ２２に記載のプロセッサ可読記憶媒体。
［Ｃ２８］
前記第１のサブスクリプションが、１ｘＥＶ−ＤＯ無線アクセスネットワーク上のデータ通信のために適合され、
前記第２のサブスクリプションが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために適合される、Ｃ２２に記載のプロセッサ可読記憶媒体。
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
通信インターフェースと、
第１のサブスクリプションに関連付けられる第１のサブスクリプションモジュールと第２のサブスクリプションに関連付けられる第２のサブスクリプションモジュールとを含む、複数のサブスクリプションモジュールと、
前記通信インターフェースおよび前記複数のサブスクリプションモジュールに結合された処理回路と
を備え、前記処理回路が、
前記通信インターフェースを介して、前記第１のサブスクリプションの取得プロセスを実行し、
前記第２のサブスクリプションのページングスケジュールを決定し、前記ページングスケジュールは、前記第２のサブスクリプション上のモバイル着信ページを監視するために、予め定められたページング時間間隔を識別する、
前記予め定められたページング時間間隔の１つの間に、
前記第１のサブスクリプションの前記取得プロセスを一時停止し、
前記通信インターフェースを前記第２のサブスクリプションにチューニングし、
前記第２のサブスクリプション上の前記モバイル着信ページを監視する
ように適合される、アクセス端末。
【請求項２】
前記処理回路が、前記第２のサブスクリプションの前記モバイル着信ページを受信して処理した後に、前記第１のサブスクリプションの前記取得プロセスを再開するようにさらに適合される、請求項１に記載のアクセス端末。
【請求項３】
前記第１のサブスクリプションの取得プロセスを実行するように適合された前記処理回路が、
前記第１のサブスクリプション上で取得（ＡＣＱ）状態で動作する、または、
前記第１のサブスクリプション上で同期（ＳＹＮＣ）状態で動作する
ように適合された前記処理回路を備える、請求項１に記載のアクセス端末。
【請求項４】
前記処理回路が、前記第１のサブスクリプション上で前記同期（ＳＹＮＣ）状態で動作するように適合され、ここにおいて、前記第１のサブスクリプション上の前記取得プロセスを一時停止するように適合された前記処理回路が、同期タイムアウト（ＳＹＮＣ  ＴＩＭＯＵＴ）タイマを一時停止するように適合された前記処理回路を備える、請求項３に記載のアクセス端末。
【請求項５】
前記同期タイムアウトタイマが一時停止される時に、前記処理回路が、ＳＹＮＣ  ＳＵＳＰＥＮＤタイマを開始するようにさらに適合される、請求項４に記載のアクセス端末。
【請求項６】
前記第１のサブスクリプションに関連付けられる前記第１のサブスクリプションモジュールが、データ通信のために使用され、
前記第２のサブスクリプションに関連付けられる前記第２のサブスクリプションモジュールが、音声通信のために使用される、請求項１に記載のアクセス端末。
【請求項７】
前記第１のサブスクリプションに関連付けられる前記第１のサブスクリプションモジュールが、１ｘＥＶ−ＤＯ無線アクセスネットワーク上のデータ通信のために適合され、
前記第２のサブスクリプションに関連付けられる前記第２のサブスクリプションモジュールが、ｃｄｍａ２０００  １ｘ無線アクセスネットワーク、ＧＳＭ（登録商標）無線アクセスネットワーク、Ｗ−ＣＤＭＡ（登録商標）無線アクセスネットワーク、およびＬＴＥ無線アクセスネットワークのうちの１つのネットワーク上の音声通信のために適合される、請求項１に記載のアクセス端末。
【請求項８】
第１のサブスクリプションの取得プロセスを実行することと、
第２のサブスクリプションのページングスケジュールを決定することと、前記ページングスケジュールは、第２のサブスクリプション上のモバイル着信ページを監視するために、予め定められたページング時間間隔を識別する、
前記予め定められたページング時間間隔の１つの間に、前記第１のサブスクリプションの前記取得プロセスを一時停止することと、
前記第２のサブスクリプションに関連付けられる前記モバイル着信ページの受信を可能にするために、前記第２のサブスクリプションにチューニングすることと
を備える、アクセス端末上で動作可能な方法。
【請求項９】
前記第２のサブスクリプションに関連付けられる前記モバイル着信ページを受信して処理した後に、前記第１のサブスクリプションの前記取得プロセスを再開すること
をさらに備える、請求項８に記載の方法。
【請求項１０】
前記第１のサブスクリプションの取得プロセスを実行することが、
前記第１のサブスクリプション上で取得（ＡＣＱ）状態で動作すること、または、
前記第１のサブスクリプション上で同期（ＳＹＮＣ）状態で動作すること
を備える、請求項８に記載の方法。
【請求項１１】
前記第１のサブスクリプションの取得プロセスを実行することが、前記第１のサブスクリプション上で同期（ＳＹＮＣ）状態で動作することを備え、ここにおいて、前記第１のサブスクリプションの前記取得プロセスを一時停止することが、同期タイムアウト（ＳＹＮＣ  ＴＩＭＯＵＴ）タイマを一時停止することを備える、請求項８に記載の方法。
【請求項１２】
前記同期タイムアウト（ＳＹＮＣ  ＴＩＭＯＵＴ）タイマを一時停止することが、ＳＹＮＣ  ＳＵＳＰＥＮＤタイマを開始することを備える、請求項１１に記載の方法。
【請求項１３】
第１のサブスクリプションの取得プロセスを実行することが、１ｘＥＶ−ＤＯ無線アクセスネットワークで前記取得プロセスを実行することを備え、
前記第２のサブスクリプションに関連付けられる第２のサブスクリプションモジュールが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために使用される、請求項８に記載のアクセス端末。
【請求項１４】
前記第２のサブスクリプションにチューニングすることが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つにチューニングすることを備える、請求項８に記載のアクセス端末。
【請求項１５】
第１のサブスクリプションの取得プロセスを実行するための手段と、
第２のサブスクリプションのページングスケジュールを決定するための手段と、前記ページングスケジュールは、前記第２のサブスクリプション上のモバイル着信ページを監視するために、予め定められたページング時間間隔を識別する、
前記予め定められたページング時間間隔の１つの間に、前記第１のサブスクリプションの前記取得プロセスを一時停止するための手段と、
前記第２のサブスクリプションに関連付けられる前記モバイル着信ページの受信を可能にするために、前記第２のサブスクリプションにチューニングするための手段と
を備える、アクセス端末。
【請求項１６】
前記第２のサブスクリプションに関連付けられる前記モバイル着信ページを受信して処理した後に、前記第１のサブスクリプションの前記取得プロセスを再開するための手段
をさらに備える、請求項１５に記載のアクセス端末。
【請求項１７】
前記第１のサブスクリプションの取得プロセスを実行するための前記手段が、前記第１のサブスクリプション上の取得（ＡＣＱ）状態と、前記第１のサブスクリプション上の同期（ＳＹＮＣ）状態とのうちの少なくとも１つにおいて動作するための手段を備える、請求項１５に記載のアクセス端末。
【請求項１８】
前記第１のサブスクリプションの取得プロセスを実行するための前記手段が、前記第１のサブスクリプション上の同期（ＳＹＮＣ）状態で動作するための手段を備え、
前記第１のサブスクリプションの前記取得プロセスを一時停止するための前記手段が、同期タイムアウト（ＳＹＮＣ  ＴＩＭＯＵＴ）タイマを一時停止するための手段を備える、請求項１５に記載のアクセス端末。
【請求項１９】
前記同期タイムアウト（ＳＹＮＣ  ＴＩＭＯＵＴ）タイマを一時停止するための前記手段が、ＳＹＮＣ  ＳＵＳＰＥＮＤタイマを開始することを備える、請求項１８に記載のアクセス端末。
【請求項２０】
前記第１のサブスクリプションがデータ通信のために使用され、
前記第２のサブスクリプションが音声通信のために使用される、請求項１５に記載のアクセス端末。
【請求項２１】
前記第１のサブスクリプションが、１ｘＥＶ−ＤＯ無線アクセスネットワーク上のデータ通信のために適合され、
前記第２のサブスクリプションが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために適合される、請求項１５に記載のアクセス端末。
【請求項２２】
処理回路に、
第１のサブスクリプションの取得プロセスを実行することと、
第２のサブスクリプションのページングスケジュールを決定することと、前記ページングスケジュールは、前記第２のサブスクリプション上のモバイル着信ページを監視するために、予め定められたページング時間間隔を識別する、
前記予め定められたページング時間間隔の１つの間に、前記第１のサブスクリプションの前記取得プロセスを一時停止することと、
前記第２のサブスクリプションに関連付けられる前記モバイル着信ページの受信を可能にするために通信インターフェースリソースを前記第２のサブスクリプションに解放することと
を行わせるプログラミングを備える、プロセッサ可読記憶媒体。
【請求項２３】
処理回路に、
前記第２のサブスクリプションに関連付けられる前記モバイル着信ページを受信して処理した後に、前記第１のサブスクリプションの前記取得プロセスを再開すること
を行わせるためのプログラミングをさらに備える、請求項２２に記載のプロセッサ可読記憶媒体。
【請求項２４】
前記第１のサブスクリプションの前記取得プロセスが、前記第１のサブスクリプション上の取得（ＡＣＱ）状態と、同期（ＳＹＮＣ）状態とのうちの少なくとも１つにおける動作を備える、請求項２２に記載のプロセッサ可読記憶媒体。
【請求項２５】
前記第１のサブスクリプションの前記取得プロセスが、前記第１のサブスクリプション上で同期（ＳＹＮＣ）状態で動作することを備え、ここにおいて、処理回路に前記第１のサブスクリプションの前記取得プロセスを一時停止することを行わせるための前記プログラミングが、処理回路に同期タイムアウト（ＳＹＮＣ  ＴＩＭＯＵＴ）タイマを一時停止することを行わせるためのプログラミングを備える、請求項２２に記載のプロセッサ可読記憶媒体。
【請求項２６】
処理回路に、前記同期タイムアウト（ＳＹＮＣ  ＴＩＭＯＵＴ）タイマを一時停止することを行わせるための前記プログラミングが、処理回路にＳＹＮＣ  ＳＵＳＰＥＮＤタイマを開始することを行わせるためのプログラミングを備える、請求項２５に記載のプロセッサ可読記憶媒体。
【請求項２７】
前記第１のサブスクリプションがデータ通信のために使用され、
前記第２のサブスクリプションが音声通信のために使用される、請求項２２に記載のプロセッサ可読記憶媒体。
【請求項２８】
前記第１のサブスクリプションが、１ｘＥＶ−ＤＯ無線アクセスネットワーク上のデータ通信のために適合され、
前記第２のサブスクリプションが、ｃｄｍａ２０００  １ｘ無線アクセスネットワーク、ＧＳＭ無線アクセスネットワーク、Ｗ−ＣＤＭＡ無線アクセスネットワーク、およびＬＴＥ無線アクセスネットワークのうちの１つのネットワーク上の音声通信のために適合される、請求項２２に記載のプロセッサ可読記憶媒体。
【国際調査報告】
2017510102.tif 000011
2017510102.tif 000012